(57)【要約】【課題】改善された人間工学、多用途性、耐久性、および／または使いやすさを備えた治療キット用の容器を提供すること。【解決手段】治療キット容器などのデバイス容器が開示される。一実施形態では、デバイス容器は、注射器外筒を解放可能に保持するように構成された第１の部材と、バイアルを解放可能に保持するように構成された第２の部材であって、第１のヒンジによって第１の部材に連結される第２の部材と、バイアルアダプタを解放可能に保持するように構成された第３の部材であって、第２のヒンジによって第２の部材に連結される第３の部材とを備える。一実施形態において、第１、第２、および第３の部材が、単一構造として形成される。【選択図】図４
2020193042.tif 000002
【特許請求の範囲】
【請求項１】
医療デバイスキット容器であって、
注射器外筒を解放可能に保持するように構成される第１の部材と、
キャップを有するバイアルを解放可能に保持するように構成され、内面を有する第２の部材であって、第１のヒンジによって前記第１の部材に連結される第２の部材と、
バイアルアダプタを解放可能に保持するように構成される第３の部材であって、第２のヒンジによって前記第２の部材に連結される第３の部材と
を備え、前記容器は、前記バイアルの基部がスリーブによって所定の位置に解放可能に保持されている間に前記注射器外筒が前記バイアルの前記キャップに連結されるとき、前記第１、第２、および第３の部材の底面が調製表面に対して平行に置かれるように構成され、前記スリーブは、複数の壁および複数の空洞から構成され、前記第２の部材の前記内面上に含まれ、前記内面から上方向に延在し、
前記容器は、使用者が、前記第２の部材上に含まれ前記第２の部材から上方向に延在する前記スリーブから前記バイアルを最初に解放することなく前記注射器外筒を前記バイアルの前記キャップに連結することができるように構成される、容器。
【請求項２】
前記第１、第２、および第３の部材は、単一構造として形成される、請求項１に記載の容器。
【請求項３】
医療デバイスキットであって、
注射器外筒と、
キャップおよび基部を有するバイアルと、
注射器外筒および前記バイアルを保持するための容器であって、前記容器は、
フックを用いて前記注射器外筒を解放可能に保持するように構成される第１の部材と、
内面を有し、スリーブによって前記バイアルをその基部で解放可能に保持するように構成される第２の部材であって、前記スリーブは、複数の壁および複数の空洞から構成され、前記内面上に含まれ、前記内面から上方向に延在する、第２の部材と
を備える、容器と
を備え、
前記容器は、使用者が、前記第２の部材の前記内面上に含まれ前記内面から上方向に延在する前記スリーブから前記バイアルを最初に解放することなく前記注射器外筒を前記バイアルの前記キャップに連結することができるように構成される、医療デバイスキット。
【請求項４】
前記バイアルが前記第２の部材の前記内面上に含まれ前記内面から上方向に延在する前記スリーブによって所定の位置に解放可能に保持されている間に前記注射器外筒が前記バイアルに連結されるとき、前記容器は、前記第２の部材の底面が調製表面に対して平行に置かれるように構成される、請求項３に記載の医療デバイスキット。
【請求項５】
医療デバイスキットであって、
長手方向軸を有する注射器外筒と、
長手方向軸を有するバイアルと、
前記注射器外筒および前記バイアルを保持するための容器であって、前記容器は、閉鎖構成および開放構成を有し、前記容器は、
前記注射器外筒を解放可能に保持するように構成される第１の部材であって、前記注射器外筒から分離したプランジャーロッドも解放可能に保持するように構成される第１の部材と、
内面を有し、スリーブによって前記バイアルをその基部で解放可能に保持するように構成される第２の部材であって、前記スリーブは、複数の壁および複数の空洞から構成され、前記内面上に含まれ、前記内面から上方向に延在する、第２の部材と
を備える、容器と
を備え、
前記容器がその閉鎖位置にあるとき、前記注射器外筒の前記長手方向軸は、前記バイアルの前記長手方向軸に略平行であり、
前記容器がその開放位置にあるとき、前記注射器外筒の前記長手方向軸は、前記バイアルの前記長手方向軸に略垂直である、医療デバイスキット。
【請求項６】
前記容器は、使用者が、前記第２の部材の前記内面上に含まれ前記内面から上方向に延在する前記スリーブから前記バイアルを最初に解放することなく前記注射器外筒を前記バイアルに連結することができるように構成される、請求項５に記載の医療デバイスキット。
【請求項７】
前記バイアルが前記第２の部材の前記内面上に含まれ前記内面から上方向に延在する前記スリーブによって所定の位置に解放可能に保持されている間に前記注射器外筒が前記バイアルに連結されるとき、前記容器は、前記第１および第２の部材の底面が調製表面に対して平行に置かれるように構成される、請求項５に記載の医療デバイスキット。
【請求項８】
医療デバイスキットであって、
第１の薬物を包含するバイアルと、
注射器外筒と、
第２の薬物を包含するバイアルアダプタと、
前記注射器外筒および前記バイアルを保持するための容器であって、前記容器は、内面を有する部材であって、スリーブによって前記バイアルをその基部で直立位置に解放可能に保持するように構成される部材を備え、前記スリーブは、複数の壁および複数の空洞から構成され、前記内面上に含まれ、前記内面から上方向に延在する、容器と
を備え、
前記部材の底面が調製表面に対して平行に置かれたときに、前記バイアルが、前記部材の前記内面上に含まれ前記内面から上方向に延在する前記スリーブによって直立位置に解放可能に保持され、
前記注射器外筒は、前記部材の前記底面が前記調製表面に対して平行に置かれているときに、前記バイアルに連結されるように構成され、
前記容器は、使用者が、前記部材の前記内面上に含まれ前記内面から上方向に延在する前記スリーブから前記バイアルを最初に解放することなく前記注射器外筒を前記バイアルのキャップに連結することができるように構成される、医療デバイスキット。
【請求項９】
前記第１の部材は、摩擦嵌合を介して前記注射器外筒を解放可能に保持するように構成される、請求項１に記載の容器。
【請求項１０】
前記容器は、閉鎖構成および開放構成を有し、
前記容器は、前記閉鎖構成において、前記第１および第３の部材の外面が、互いに略平行であり、かつ互いに反対側を向くように構成され、
前記容器は、前記開放構成において、調製表面に対して平行に置かれているときに、前記第１、第２、および第３の部材の外面が、互いに略平行であり、かつ同一方向を向くように構成される、請求項１に記載の容器。
【請求項１１】
前記容器は、閉鎖構成および開放構成を有し、
前記容器が、その閉鎖構成にあるときに、前記注射器外筒の長手方向軸は、前記バイアルの長手方向軸に略平行であり、
前記容器が、その開放構成にあり、調製表面に対して平行に置かれているときに、前記注射器外筒の長手方向軸は、前記バイアルの長手方向軸に略垂直である、請求項３に記載の医療デバイスキット。
【請求項１２】
バイアルアダプタをさらに備え、
前記バイアルアダプタは、前記注射器外筒のハブを前記バイアルの前記キャップに連結するように構成される、請求項３に記載の医療デバイスキット。
【請求項１３】
前記容器の第１の部材は、解体状態において互いから分離される前記注射器外筒および前記注射器プランジャーロッドを保持するようにさらに構成される、請求項５に記載の医療デバイスキット。
【請求項１４】
前記容器がその閉鎖位置にあるか、または前記開放位置にあるかにかかわらず、前記注射器外筒の長手方向軸が、前記注射器プランジャーの長手方向軸に略平行であるように、前記容器の第１の部材は、前記注射器外筒および前記注射器プランジャーロッドを保持するようにさらに構成される、請求項１３に記載の医療デバイスキット。
【請求項１５】
前記第１の部材は、摩擦嵌合を介して前記注射器外筒を解放可能に保持するように構成される、請求項５に記載の医療デバイスキット。
【請求項１６】
前記バイアルアダプタは、前記注射器外筒のハブを前記バイアルのキャップに連結するように構成される、請求項８に記載の医療デバイスキット。
【発明の詳細な説明】
【技術分野】
【０００１】
本発明は、概して、デバイス容器に関する。より具体的には、本発明の実施形態は、改善された人間工学、多用途性、耐久性、および／または使いやすさを備えた治療キット用の容器に関する。
【背景技術】
【０００２】
多くの人が治療薬による処置を必要とする疾患または医学的状態に罹患している。治療液剤の調製および個人への投与は、多くの場合、２つ以上の薬物または他の物質を混合して、治療液剤を形成し、その後、混合した治療液剤を個人に送達することを伴う。薬物または他の物質の混合は、多くの場合、液体形態の１つの薬物または他の物質をバイアルまたは他の入れ物から抽出し、この薬物または他の物質を、他の薬物または物質を保持する別個の入れ物、例えば、注射器に移すことを伴う。
【０００３】
いくつかの治療薬は、治療「キット」の一部として患者および介護者に販売されている。これらのキットは、例えば、１つ以上のバイアル、注射器、および治療液剤を形成する薬物または物質、ならびにこれらの構成要素を収容するための容器を含み得る。
【０００４】
既存の治療キット容器は、多くの欠点に悩まされている。例えば、多くの既存の治療キット容器は、過度に大きく、かつ／または十分な耐久性がないため、これらの容器は、保管または移動に便利でも安全でもない。さらなる例として、多くの既存の治療キット容器は、本質的に空の入れ物であり、内部編成の形態を有さず、人間工学的構造に欠くため、使用者は、所定の時間に必要な構成要素を探し出すか、または探し回ることを要求され得る。最後に、多くの既存の治療キット容器は、使用前にそれらの内容物を単に保管することができるが、これらの容器は、治療液剤の調製および投与の際に使用者を実際に支援し得る構造上の特徴を含まない。
【０００５】
治療薬を調製および投与する患者および介護者に、改善された人間工学、多用途性、耐久性、および／または使いやすさを提供する新たな治療キット容器が必要とされている。
【０００６】
しかしながら、本考察は、主に治療キット容器に焦点を当てているが、本明細書に記載されるデバイス容器のいくつかの実施形態は、治療キットとの使用に限定される必要はなく、様々な非治療および非医療目的で品目を保管するのに好適であり得ることに留意されたい。
【発明の概要】
【課題を解決するための手段】
【０００７】
本発明の実施形態は、閉鎖構成および開放構成を有する容器に関し得る。容器は、外面を有する第１の部材と、外面を有する第２の部材であって、第１のヒンジによって第１の部材に連結される第２の部材と、外面を有する第３の部材であって、第２のヒンジによって第２の部材に連結される第３の部材とを含み得、容器は、閉鎖構成にあるとき、第１および第３の部材の外面が互いに略平行であり、かつ互いに反対側を向くように構成され、容器は、開放構成にあるとき、第１、第２、および第３の部材の外面が互いに略平行であり、かつ同一方向を向くように構成される。
【０００８】
本発明の実施形態は、閉鎖構成および開放構成を有する容器にも関し得る。容器は、天板と、側板であって、バイアルを解放可能に保持するように構成される側板と、底板とを含み得、容器は、閉鎖構成にあるとき、天板および底板が互いに略平行であるように構成され、側板は、天板および底板に略垂直であり、側板は、バイアルの長手方向軸が天板および底板に略平行になるように、バイアルを解放可能に保持するように構成される。
【０００９】
本発明の実施形態はさらに、注射器外筒を解放可能に保持するように構成された第１の部材と、バイアルを解放可能に保持するように構成された第２の部材であって、第１のヒンジによって第１の部材に連結される第２の部材と、バイアルアダプタを解放可能に保持するように構成された第３の部材であって、第２のヒンジによって第２の部材に連結される第３の部材とを含み得る容器に関し得る。
【００１０】
本発明の実施形態は、注射器外筒と、キャップおよび基部を有するバイアルと、注射器外筒およびバイアルを保持するための容器とを含み得る治療キットにも関し得、この場合、容器は、バイアルをその基部によって解放可能に保持するように構成される部材を含み得、容器は、使用者が最初にバイアルを部材から解放することなく注射器外筒をバイアルのキャップに連結することができるように構成される。
【００１１】
本発明の実施形態はさらに、長手方向軸を有する注射器外筒と、長手方向軸を有するバイアルと、注射器外筒およびバイアルを保持するための容器とを含み得る治療キットに関し得、容器は閉鎖構成および開放構成を有し、この場合、容器は、注射器外筒を解放可能に保持するように構成される第１の部材と、バイアルを解放可能に保持するように構成される第２の部材とを含み得、容器がその閉鎖位置にあるとき、注射器外筒の長手方向軸は、バイアルの長手方向軸に略平行であり、容器がその開放位置にあるとき、注射器外筒の長手方向軸は、バイアルの長手方向軸に略垂直である。
【００１２】
本発明の実施形態は、バイアルと、注射器外筒と、注射器外筒およびバイアルを保持するための容器とを含み得る治療キットにも関し得、この場合、容器はバイアルを直立位置に解放可能に保持するように構成される部材を含み得、容器は、バイアルが直立位置に解放可能に保持されているときに、バイアルに安定性を提供するように構成され、容器は、バイアルが依然として直立位置に解放可能に保持されているときに注射器外筒がバイアルに連結される場合、注射器外筒に安定性を提供するようにさらに構成される。
【００１３】
本発明のいくつかの実施形態では、注射器、バイアル、およびバイアルアダプタを解放可能に保持するために構成される容器は、それ自体が外装容器の表面上にラベル表示、マーケティング、または他の製品情報を含み得る大きい外装容器内に収容され得る。
【００１４】
注射器、バイアル、およびバイアルアダプタに加えて、本発明のさらなる実施形態では、治療キットは、例えば、製品の説明書、注入針セット、アルコールスワブ、ガーゼパッド、またはバンドエイドなどの追加要素を含み得る。そのような追加要素は、大きい外装容器内に注射器、バイアル、およびバイアルアダプタを保持する同じ容器内、またはキットに含まれる全く別の容器に含まれ得る。
【００１５】
本発明の他の実施形態では、単一の治療キットは、複数の注射器、複数のバイアル、および／または複数のバイアルアダプタを保持するように構成され得る。
【００１６】
本考察は、主に治療キット容器に焦点を当てているが、本明細書に記載されるデバイス容器のいくつかの実施形態は、治療キットとの使用に限定される必要はなく、様々な非治療および非医療目的で品目を保管するのに好適であり得ることに留意されたい。
【００１７】
本発明のさらなる実施形態、特徴、および利点、ならびに本発明の種々の実施形態の構造および動作は、添付の図面を参照して以下で詳細に説明される。
本願明細書は、例えば、以下の項目も提供する。
（項目１）
閉鎖構成および開放構成を有する容器であって、
外面を備える第１の部材と、
外面を備える第２の部材であって、第１のヒンジによって前記第１の部材に連結される、第２の部材と、
外面を備える第３の部材であって、第２のヒンジによって前記第２の部材に連結される、第３の部材と、を備え、
前記容器が、前記閉鎖構成にあるとき、前記第１および第３の部材の前記外面が互いに略平行であり、かつ互いに反対側を向くように構成され、
前記容器が、前記開放構成にあるとき、前記第１、第２、および第３の部材の前記外面が互いに略平行であり、かつ同一方向を向くように構成される、容器。
（項目２）
前記第１、第２、および第３の部材が、単一構造として形成される、項目１に記載の容器。
（項目３）
前記第１、第２、および第３の部材が、射出成型プロセスによって形成される、項目２に記載の容器。
（項目４）
前記第１および第２のヒンジがリビングヒンジである、項目１に記載の容器。
（項目５）
前記第２の部材が、バイアルを解放可能に保持するように構成される、項目１に記載の容器。
（項目６）
前記容器が、注射器外筒を解放可能に保持するように構成される、項目５に記載の容器。
（項目７）
前記容器が、使用者が最初に前記バイアルを前記容器から解放することなく前記注射器外筒を前記バイアルに連結することができるように構成される、項目６に記載の容器。
（項目８）
前記バイアルが依然として所定の位置に解放可能に保持されているときに前記注射器外筒が前記バイアルに連結される場合、前記容器が、前記注射器外筒に安定性を提供することができるように構成される、項目６に記載の容器。
（項目９）
閉鎖構成および開放構成を有する容器であって、
天板と、
側板であって、バイアルを解放可能に保持するように構成される、側板と、
底板と、を備え、
前記容器が、前記閉鎖構成にあるとき、
前記天板および底板が、互いに略平行であり、
前記側板が、前記天板および底板に略垂直であり、
前記側板が、前記バイアルの長手方向軸が前記天板および底板に略平行になるように、バイアルを解放可能に保持するように構成される、容器。
（項目１０）
前記容器が、前記開放構成にあるとき、
前記天板、側板、および底板が、互いに略平行であり、
前記側板が、前記バイアルの長手方向軸が前記天板、側板、および底板に略垂直になるように、バイアルを解放可能に保持するように構成される、項目９に記載の容器。
（項目１１）
前記天板、側板、および底板が、単一構造として形成される、項目９に記載の容器。
（項目１２）
前記天板、側板、および底板が、射出成型プロセスによって形成される、項目１１に記載の容器。
（項目１３）
前記天板、側板、および底板が、１つ以上のリビングヒンジを介して一緒に連結される、項目９に記載の容器。
（項目１４）
前記容器が、注射器外筒を解放可能に保持するように構成される、項目９に記載の容器。
（項目１５）
前記容器が、使用者が最初に前記バイアルを前記側板から解放することなく前記注射器外筒を前記バイアルに連結することができるように構成される、項目１４に記載の容器。（項目１６）
前記バイアルが依然として所定の位置に解放可能に保持されているときに前記注射器外筒が前記バイアルに連結される場合、前記容器が、前記注射器外筒に安定性を提供することができるように構成される、項目１４に記載の容器。
（項目１７）
容器であって、
注射器外筒を解放可能に保持するように構成される第１の部材と、
バイアルを解放可能に保持するように構成される第２の部材であって、第１のヒンジによって前記第１の部材に連結される、第２の部材と、
バイアルアダプタを解放可能に保持するように構成される第３の部材であって、第２のヒンジによって前記第２の部材に連結される、第３の部材と、を備える、容器。
（項目１８）
前記第１、第２、および第３の部材が、単一構造として形成される、項目１７に記載の容器。
（項目１９）
前記第１、第２、および第３の部材が、射出成型プロセスによって形成される、項目１８に記載の容器。
（項目２０）
前記第１、第２、および第３の部材が、１つ以上のリビングヒンジを介して一緒に連結される、項目１７に記載の容器。
（項目２１）
前記容器が、使用者が最初に前記バイアルを前記第２の部材から解放することなく前記注射器外筒を前記バイアルに連結することができるように構成される、項目１７に記載の容器。
（項目２２）
前記バイアルが依然として所定の位置に解放可能に保持されているときに前記注射器外筒が前記バイアルに連結される場合、前記容器が、前記注射器外筒に安定性を提供することができるように構成される、項目１７に記載の容器。
（項目２３）
治療キットであって、
注射器外筒と、
キャップおよび基部を有するバイアルと、
注射器外筒および前記バイアルを保持するための容器であって、
前記バイアルをその基部によって解放可能に保持するように構成される部材を備える、容器と、を備え、
前記容器が、使用者が最初に前記バイアルを前記部材から解放することなく前記注射器外筒を前記バイアルの前記キャップに連結することができるように構成される、治療キット。
（項目２４）
前記容器が、射出成型プロセスによって形成される、項目２３に記載の治療キット。
（項目２５）
前記容器が、１つ以上のリビングヒンジを使用して開閉するように構成される、項目２３に記載の治療キット。
（項目２６）
前記バイアルが依然として所定の位置に解放可能に保持されているときに前記注射器外筒が前記バイアルに連結される場合、前記容器が、前記注射器外筒に安定性を提供することができるように構成される、項目２３に記載の治療キット。
（項目２７）
治療キットであって、
長手方向軸を有する注射器外筒と、
長手方向軸を有するバイアルと、
前記注射器外筒および前記バイアルを保持するための容器であって、閉鎖構成および開放構成を有し、
前記注射器外筒を解放可能に保持するように構成される第１の部材と、
前記バイアルを解放可能に保持するように構成される第２の部材と、を備える、容器と、を備え、
前記容器がその閉鎖位置にあるとき、前記注射器外筒の前記長手方向軸が、前記バイアルの前記長手方向軸に略平行であり、
前記容器がその開放位置にあるとき、前記注射器外筒の前記長手方向軸が、前記バイアルの前記長手方向軸に略垂直である、治療キット。
（項目２８）
前記第１および第２の部材が、単一構造として形成される、項目２７に記載の治療キット。
（項目２９）
前記第１および第２の部材が、射出成型プロセスによって形成される、項目２８に記載の治療キット。
（項目３０）
前記第１および第２の部材が、リビングヒンジによって一緒に連結される、項目２７に記載の治療キット。
（項目３１）
前記容器が、使用者が最初に前記バイアルを前記第２の部材から解放することなく前記注射器外筒を前記バイアルに連結することができるように構成される、項目２７に記載の治療キット。
（項目３２）
前記バイアルが依然として所定の位置に解放可能に保持されているときに前記注射器外筒が前記バイアルに連結される場合、前記容器が、前記注射器外筒に安定性を提供することができるように構成される、項目２７に記載の治療キット。
（項目３３）
治療キットであって、
バイアルと、
注射器外筒と、
前記注射器外筒および前記バイアルを保持するための容器であって、
前記バイアルを直立位置に解放可能に保持するように構成される部材を備える、容器と、を備え、
前記バイアルが直立位置に解放可能に保持されているときに、前記容器が、前記バイアルに安定性を提供することができるように構成され、
前記バイアルが依然として直立位置に解放可能に保持されているときに前記注射器外筒が前記バイアルに連結される場合、前記容器が、前記注射器外筒に安定性を提供することができるようにさらに構成される、治療キット。
（項目３４）
前記容器が、射出成型プロセスによって形成される、項目３３に記載の治療キット。
（項目３５）
前記容器が、１つ以上のリビングヒンジを使用して開閉するように構成される、項目３３に記載の治療キット。
（項目３６）
前記容器が、使用者が最初に前記バイアルを前記第２の部材から解放することなく前記注射器外筒を前記バイアルに連結することができるように構成される、項目３３に記載の治療キット。
【図面の簡単な説明】
【００１８】
本明細書に組み込まれ、明細書の一部を形成する添付の図面は、例として本発明を例証しており、限定するものではなく、説明と共に、本発明の原則を説明するためにさらに機能し、当業者が本発明を為し、かつ利用することを可能にする。
【００１９】
【図１】本発明の実施形態に従う様々な構成要素を含む開放構成にある治療キット容器の上からの正面斜視図である。
【図２】本発明の実施形態に従う閉鎖構成にある治療キット容器の上からの正面斜視図である。
【図３Ａ】本発明の実施形態に従う閉鎖構成にある治療キット容器の上からの後方斜視図である。
【図３Ｂ】本発明の実施形態に従う閉鎖構成にある治療キット容器の底面図である。
【図４】本発明の実施形態に従う開放構成にある空の治療キット容器の上からの正面斜視図である。
【図５】本発明の実施形態に従う様々な構成要素を含む開放構成にある治療キット容器の上からの正面斜視図である。
【図６】本発明の実施形態に従う様々な構成要素を含む開放構成にある治療キット容器の上面図である。
【図７】本発明の実施形態に従う様々な構成要素を含む開放構成にある治療キット容器の右側面図である。
【図８】本発明の実施形態に従う一体に組み立てられた様々な構成要素を含む開放構成にある治療キット容器の右側面図である。
【図９Ａ】本発明の実施形態に従う閉鎖構成にある互いの上に積み重ねられた２つの治療キット容器の正面図である。
【図９Ｂ】本発明の実施形態に従う閉鎖構成にある互いの上に積み重ねられた４８の治療キット容器の正面図である。
【図１０】本発明の代替えの実施形態に従う様々な構成要素を含む開放構成にある治療キット容器の上からの正面斜視図である。
【図１１】本発明の実施形態に従う開放構成にある空の治療キット容器の上からの後方斜視図である。
【発明を実施するための形態】
【００２０】
本発明は、これから、添付の図面に例示されるその実施形態を参照して詳細に説明される。「一実施形態」、「実施形態」、「実施形態の例」等への言及は、記載の実施形態が特定の特徴、構造、または特性を含み得ることを示すが、すべての実施形態が、必ずしもそれらの特定の特徴、構造、または特性を含まなくてもよい。さらに、かかる語句は、必ずしも同一の実施形態を指さない。さらに、特定の特徴、構造、または特性が、実施形態に関連して記述されるとき、かかる特徴、構造、または特性を、他の実施形態に関連して作用することは、明確に記載されているか否かにかかわらず、当業者の知識の範囲内であると考えられる。
【００２１】
多くの人が治療薬による処置を必要とする疾患または医学的状態に罹患している。本明細書で使用される、用語「治療薬」は、疾患もしくは医学的状態の処置または治癒に関連するものを指す。治療的処置は、例えば、薬物、医療デバイス、または身体活動を伴う場合がある。本明細書で使用される、用語「薬物」は、疾患または医学的状態を処置または治癒するための物質を指す。
【００２２】
薬物または医療デバイスなどのいくつかの治療薬は、治療「キット」として患者および介護者に販売され得る。図１は、本発明の実施形態に従う様々な構成要素を含む開放構成にある治療キット１００容器１０１の上からの正面斜視図である。治療キット１００は、治療の投与に使用するための１つ以上の薬物、医療デバイス、および／または他の構成要素を単一のパッケージに収容することができるため、患者および介護者に有用である。
【００２３】
図１に図示されるように、治療キット１００は、容器１０１を含み得る。容器１０１は、例えば、紙パック、箱、木箱、缶、または瓶などの物または材料を収容するように構成されるあらゆるものであり得る。本発明の実施形態に従う容器１０１は、様々な形状および大きさで提供され、様々な材料から作製され、様々な開閉構成を有し得る。
【００２４】
本発明の一実施形態では、図全体を通して図示されるように、治療キット１００容器１０１は、一般的に、その閉鎖構成にあるとき、縁が丸い四角柱のように成形され得る。他の実施形態では、容器１０１は、一般的に、例えば、真っ直ぐまたは丸い縁のいずれかを有する立方形、三角柱、円柱、球体、円錐形、または円錐台（ｆｒｕｓｔｏｃｏｎｅ）のように成形され得る。いくつかの実施形態では、丸い縁は、敏感な患者に損傷のリスクをあまり与えない可能性があるため望ましい場合がある。
【００２５】
その閉鎖構成にある容器１０１の全体的な大きさは、容器に保管される薬物、医療デバイス、および／または他の構成要素の大きさおよび形状により変動し得る。一実施形態では、容器１０１は、その閉鎖構成にあるとき、２．１〜３．１インチの幅、３．５〜４．５インチの長さ、および１．０〜２．０インチの高さであり得る。一実施形態では、容器１０１は、その閉鎖構成にあるとき、約２．６インチの幅、約４．０インチの長さ、および約１．５インチの高さであり得る。いくつかの実施形態では、その閉鎖構成にある容器１０１の全体的な大きさは、小さい容器１０１が、特に、複数の容器１０１を保管または携帯する場合、患者または介護者にとって保管または移動が容易であり得るため、最小化されるべきである。
【００２６】
本発明の実施形態に従う治療キット１００容器１０１は、例えば、ポリプロピレン、ポリ塩化ビニル、ポリテトラフルオロエチレン、ポリエーテルスルホン、ポリエチレン、ポリウレタン、ポリエーテルイミド、ポリカーボネート、ポリエーテルエーテルケトン、ポリスルホン、環状オレフィンポリマー、もしくは環状オレフィンコポリマーなどのプラスチック、ボール紙、紙、金属、ガラス、木、またはそれらの組み合わせを含む多種多様な材料から作製され得る。いくつかの実施形態では、完全にポリプロピレンなどのプラスチックから容器１０１を形成することは、得られる容器が射出成型プロセスによってコスト効率良く形成することができ、構造的に耐久性があり、防水の両方であるように構成され得るため、望ましい場合がある。
【００２７】
本発明のいくつかの実施形態では、治療キット１００は、容器１０１を収容するための大きい外装容器も含み得る。大きい外装容器は、製造、流通、販売、および／または使用中の様々な時点で容器１０１を保管し、保護するために使用され得、外装容器の表面上にラベル表示、マーケティング、または他の製品情報を含み得る。大きい外装容器は、例えば、プラスチック、ボール紙、紙、金属、ガラス、木、またはそれらの組み合わせを含む多種多様な材料から作製され得る。
【００２８】
本発明の実施形態に従う異なる容器１０１は、様々な開放および閉鎖構成を有し得る。いくつかの実施形態では、容器１０１の内部が常に外部環境に開放されていることが望ましい場合がある。そのような実施形態では、容器１０１は、内容物が開放容器１０１に自由に追加または取り除くことができる、単一構成のみを有し得る。他の実施形態では、容器が別個の開閉構成を有することが望ましい場合があり、容器１０１の内容物は、閉鎖構成では外部環境から簡単にアクセスすることができないが、開放構成では、外部環境から簡単にアクセスすることができる。
【００２９】
本発明の一実施形態に従って、図１は、開放構成の治療キット１００容器１０１（様々な構成要素を含む）を図示するが、図２は、閉鎖構成の治療キット１００容器１０１を図示する。両構成において、容器またはその一部分は、容器１０１内に１つ以上の内部空間１１４を形成することができる。
【００３０】
図１に図示される容器１０１は、複数の部材で構成されていると考えることができる。これらの部材は、第１の部材１０２、第２の部材１０４、および第３の部材１０６を含む。他の実施形態では、容器１０１は、３つより少ない、または多い部材から構成され得る。図１に図示される第１の部材１０２および第３の部材１０６は、比較的大きい平坦な板と、上方向に突出する側壁とを含むが、第２の部材１０４は、上方向に突出する側壁がない小さい平坦な板に良く似ている。
【００３１】
第１の部材１０２、第２の部材１０４、および第３の部材１０６は、１つ以上のヒンジ１０８によって一緒に接合され得る。図１に図示される容器１０１に関して、第１の部材１０２は、第１のヒンジ１０８によって第２の部材１０４に接合され、第２の部材１０４は、第２のヒンジ１０８によって第３の部材１０６に接合される。ヒンジ１０８は、例えば、リビングヒンジ、背出ヒンジ、フラッシュヒンジ、バレルヒンジ、隠しヒンジ、またはピアノヒンジであり得る。いくつかの実施形態では、１つ以上のヒンジは存在しなくてもよく、容器１０１の部材は互いに完全に分離可能であり得る。容器１０１が射出成型プロセスによってプラスチックから形成される実施形態では、様々な部材を接続するリビングヒンジ１０８は、射出成型プロセス中に形成され得る。
【００３２】
本発明の実施形態に従う治療キット１００容器１０１は、治療の投与に使用するための１つ以上の薬物、医療デバイス、および／または他の構成要素を収容することができる。図１を参照して、一実施形態では、容器１００は、注射器２００、バイアル３００、およびバイアルアダプタ４００を保管するように構成され得る。注射器２００は、容器１００に保管されている間、任意に、注射器２００バレル２０２および注射器２００プランジャーロッド２０４構成要素に分離することができる。別の実施形態では、容器１０１は、上に指定したものより少ない、または多い構成要素を保管するように構成されるか、または完全に異なる構成要素を保管するように構成され得る。
【００３３】
一部の治療的処置は、治療液剤を調製し、患者に投与することを伴い、これは、２つ以上の薬物または他の物質を混合して、治療液剤を形成することを伴う場合がある。薬物または他の物質の混合は、液体形態の１つの薬物または物質をバイアル３００または他の入れ物から抽出し、この薬物物質を、他の薬物または物質を保持する別個の入れ物（注射器２００バレル２０２など）に移すことを伴うことが多い。したがって、本発明の実施形態に関して本明細書に記載されるものなど、容器１０１を含む治療キット１００は、治療薬を調製および投与する患者および介護者に、改善された人間工学、多用途性、耐久性、および／または使いやすさを提供することができる。
【００３４】
容器１０１の構成自体の詳解に戻ると、図２は、本発明の実施形態に従う閉鎖構成にある治療キット１００容器１０１の上からの正面斜視図である。容器１０１は、ここでは閉鎖構成で図示されるため、容器１０１の外面１１０のみしかこの図において見ることができない。図示されるように、第１の部材１０２は、閉鎖構成にあるとき、容器１０１の底半分に位置する。これは、図１の左側にあるように図示された第１の部材１０２と同じである。図２に図示されるように、第３の部材１０６は、閉鎖構成にあるとき、容器１０１の上半分に位置する。これは、図１の右側にあるように図示された第３の部材１０６と同じである。図２は、閉鎖構成にある治療キット１００容器１０１の上からの正面斜視図であるため、第２の部材１０４または任意のヒンジ１０８のいずれもこの図では見えない。
【００３５】
図２に図示されるように、一実施形態では、容器１０１は、この図で見ることができる正面１２２および右側１２８を有すると考えることができる。後側１２４および左側１２６は、この図では見えない。加えて、容器１０１は、第３の部材１０６の外面１１０の一部を形成する比較的大きい、平坦な板である天板１１６を有すると考えることができる。いくつかの実施形態では、容器１０１は、以下でさらに詳細に記載されるように、閉鎖構成から開放構成に容器１０１を移行するのに役立ち得る解放要素１３０も含み得る。図２では、単一の解放要素１３０が容器１０１の右側１２８に図示される。いくつかの実施形態では、解放要素１３０は別の箇所に位置するか、または複数の解放要素１３０が存在し得る。
【００３６】
図３Ａは、本発明の実施形態に従う閉鎖構成にある治療キット１００容器１０１の上からの後方斜視図である。容器１０１は、ここでは閉鎖構成で図示されるため、容器１０１の外面１１０のみしかこの図において見ることができない。図示されるように、第１の部材１０２は、閉鎖構成にあるとき、容器１０１の底半分に位置する。これは、図２の容器１０１の底半分にあるように図示された第１の部材１０２と同じであるが、異なる角度からである。図３Ａに図示されるように、第３の部材１０６は、閉鎖構成にあるとき、容器１０１の上半分に位置する。これは、図２の容器１０１の上半分にあるように図示された第３の部材１０６と同じである。図３Ａは、閉鎖構成にある治療キット１００容器１０１の上からの後方斜視図であるため、第２の部材１０４および２つの別個のヒンジ１０８の両方ともこの図では見えない。
【００３７】
図３Ａに図示されるように、一実施形態では、容器１０１は、この図で見ることができる後側１２４および左側１２６を有すると考えることができる。正面１２２および右側１２８は、この図では見えない。加えて、図２に図示された容器１０１の天板１１６はこの図３でも見えるが、異なる角度からである。天板１１６は、第３の部材１０６の外面１１０の一部を形成する比較的大きい、平坦な板である。図２に図示される容器１０１の右側１２８の解放要素１３０に加えて、いくつかの実施形態では、容器１０１は、図３Ａに図示されるように、その左側１２６にも解放要素１３０を含み得る。以下でさらに詳細に記載されるように、解放要素１３０は、閉鎖構成から閉鎖構成に容器１０１を移行するのに役立ち得る。
【００３８】
解放要素１３０は、容器１０１の第１の部材１０２に位置するように図２および図３Ａにおいて図示されるが、他の実施形態では、１つ以上の解放要素１３０は、代わりに、容器１０１の第２の部材１０４または第３の部材１０６に位置し得る。いくつかの実施形態では、容器１０１は、互いに垂直に整合される第１の部材１０２および第３の部材１０６の両方に解放要素１３０を含み得る。別の実施形態は、図１１に示されるように、解放要素１３０を含み得る。
【００３９】
実施形態では、図３Ａに図示されるように、容器１０１は、容器１０１の上または下に積み重ねられる他の容器１０１と嵌合するための１つ以上の嵌合要素を含み得ることも留意されたい。例えば、図３Ａに図示されるように、容器１０１は、第３の部材１０６の外面１１０に複数の上部嵌合要素１３２を含み得る。実施形態では、上部嵌合要素１３２は、第３の部材１０６の角に、またはその付近に位置する上方向を向く陥凹であり得る。以下でさらに詳細に説明されるように、１つの容器１０１の上部嵌合要素１３２は、複数の容器１０１を保管または移動のために便宜的かつ確実に積み重ねることができるように別の容器１０１の相補的要素と嵌合し得る。
【００４０】
図３Ｂは、本発明の実施形態に従う閉鎖構成にある治療キット１００容器１０１の底面図である。容器１０１は、ここでは閉鎖構成で図示されるため、容器１０１の外面１１０のみしかこの図において見ることができない。図示されるように、第１の部材１０２は、閉鎖構成にあるとき、容器１０１の底半分に位置する。これは、図３Ａの容器１０１の底半分にあるように図示された第１の部材１０２と同じであるが、異なる角度からである。図３Ｂは、閉鎖構成にある治療キット１００容器１０１の底面図であるため、第２の部材１０４および第３の部材１０６の両方ともこの図では見えない。たまたまリビングヒンジ１０８であるヒンジ１０８がこの図で見ることができる。
【００４１】
図３Ｂに図示されるように、一実施形態では、容器１０１は、第１の部材１０２の外面１１０の一部を形成する比較的大きい、平坦な板である底板１１８を有すると考えることができる。実施形態では、図３Ｂに図示されるように、容器１０１は、容器１０１の上または下に積み重ねられる他の容器１０１と嵌合するための１つ以上の嵌合要素を含み得ることも留意されたい。例えば、図３Ｂに図示されるように、容器１０１は、第１の部材１０２の外面１１０に複数の底部嵌合要素１３４を含み得る。実施形態では、底部嵌合要素１３４は、第１の部材１０２の角に、またはその付近に位置する下方向を向く伸長部であり得る。以下でさらに詳細に説明されるように、１つの容器１０１のこれらの底部嵌合要素１３４は、図３Ａに関して上述されるように、複数の容器１０１を保管または移動のために便宜的かつ確実に積み重ねることができるように別の容器１０１の相補的上部嵌合要素１３２と嵌合し得る。
【００４２】
いくつかの実施形態では、上部嵌合要素１３２および底部嵌合要素１３４などの嵌合要素は、容器１０１に存在しなくてもよい。他の実施形態では、嵌合要素は、陥凹もしくは伸長部以外の実質的に異なる嵌合構成を取るか、または陥凹および伸長部の位置が交換されてもよい。
【００４３】
容器１０１の内面１１２の詳解に戻ると、図４は、本発明の実施形態に従う開放構成にある空の治療キット１００容器１０１の上からの正面斜視図である。この図では、注射器２００、バイアル３００、およびバイアルアダプタ４００は、容器１０１から取り外されている。
【００４４】
図４に図示されるように、一実施形態では、第１の部材１０２は、注射器２００を容器１０１内に解放可能に保持するように設計されるいくつかの構造上の特徴を含み得る。例えば、第１の部材１０２は、容器１０１の内面１１２に１つ以上の支持壁を含み得る。支持壁は、注射器２００またはその構成要素と解放可能に嵌合するように構成される上方向に延在する壁であり得る。
【００４５】
一実施形態では、第１の部材１０２は、容器１０１の内面１１２に第１の支持壁１４２と、第２の支持壁１４４とを含み得る。第１の支持壁１４２は、容器１０１の第１の部材１０２の内面１１２から上方向に延在し、容器の左側１２６から容器の右側１２８まで広がってよい。他の実施形態では、第１の支持壁１４２は、異なる様式で第１の部材１０２に対して配向されるか、または片側からもう片側まで容器１０１全体にわたって広がらなくてもよい。実施形態では、壁は、２つ以上の別個の壁からなり得る。さらに他の実施形態では、「壁」の代わりに、支持構造は、ブロック、球体、または他の好適な形状の支持構造であり得る。
【００４６】
一実施形態では、第１の支持壁１４２は、注射器２００またはその構成要素と解放可能に嵌合できるある特定の構造上の特徴を含み得る。例えば、図４において、第１の支持壁１４２は、弓状の陥凹１４６および溝１４８を含む。他の実施形態では、第１の支持壁１４２は、追加の弓状の陥凹１４６および／または溝１４８を含む、これらの特徴を含まない、または第１の支持壁１４２を注射器２００またはその構成要素と解放可能に嵌合させる追加の構造上の特徴を含み得る。
【００４７】
弓状の陥凹１４６は、注射器２００バレル２０２と解放可能に嵌合するように構成され得る、第１の支持壁１４２の、そうでなければ連続構造となる場所にある半円形の空洞であり得る。注射器２００バレル２０２が円筒形ではない実施形態では、弓状の陥凹１４６とは異なって成形される陥凹がより適切であり得る。陥凹の大きさおよび形状は、注射器２００バレル２０２により変動し得る。
【００４８】
溝１４８は、プランジャーロッド２０４がバレル２０２とは別に保管される場合に注射器２００プランジャーロッド２０４と解放可能に嵌合するように構成され得る、第１の支持壁１４２の、そうでなければ連続構造となる場所にある、スリット、薄い矩形の彫られた、薄い三角形の彫られた、または他の好適な空洞であり得る。ビームのうちの１つが下方向に溝１４８に延在し得るように、注射器２００プランジャーロッド２０４が４つの等間隔の支持ビームから形成される「Ｘ」形状の断面を有する実施形態では、溝１４８が適切であり得る。注射器２００プランジャーロッド２０４が「Ｘ」形状の断面を有さない実施形態では、図４に示されるものとは異なって成形される溝１４８がより適切であり得る。溝１４８の大きさおよび形状は、注射器２００プランジャーロッド２０４により変動し得る。
【００４９】
一実施形態では、第１の支持壁１４２に加えて、容器１０１の第１の部材１０２の内面１１２は、第２の支持壁１４４も含み得る。第２の支持壁１４４は、容器１０１の第１の部材１０２の内面１１２から上方向に延在し、容器の左側１２６から容器の右側１２８まで広がってよい。他の実施形態では、第２の支持壁１４４は、異なる様式で第１の部材１０２に対して配向され得る。実施形態では、第１の支持壁１４２は、容器１０１の正面１２２付近に位置するが、第２の支持壁１４４は、容器１０１の後側１２４付近に位置し得る。
【００５０】
一実施形態では、第２の支持壁１４４は、注射器２００またはその構成要素、および場合によりバイアル３００またはその一部分と解放可能に嵌合できるある特定の構造上の特徴を含み得る。例えば、図４において、第２の支持壁１４４は、弓状の陥凹１４６および溝１４８を含む。他の実施形態では、第２の支持壁１４４は、追加の弓状の陥凹１４６および／または溝１４８を含む、これらの特徴を含まない、または第２の支持壁１４４を注射器２００またはその構成要素と解放可能に嵌合させる追加の構造上の特徴を含み得る。実施形態では、第２の支持壁１４４は、容器１０１が閉鎖構成にあるとき、バイアル３００の形状と一致するように設計された弓状の陥凹１４６を含み得、バイアル３００および第１の部材１０２の第２の支持壁１４４は、互いに近接される。
【００５１】
第１の支持壁１４２に関して記載される弓状の陥凹１４６と同様に、第２の支持壁１４４の弓状の陥凹１４６は、注射器２００バレル２０２と解放可能に嵌合するように構成され得る第２の支持壁１４４の、そうでなければ連続構造となる場所にある半円形の空洞であり得る。注射器２００バレル２０２が円筒形ではない実施形態では、弓状の陥凹１４６とは異なって成形される陥凹がより適切であり得る。陥凹の大きさおよび形状は、注射器２００バレル２０２により変動し得る。
【００５２】
第１の支持壁１４２に関して記載される溝１４８と同様に、第２の支持壁１４４の溝１４８は、プランジャーロッド２０４がバレル２０２とは別に保管される場合に注射器２００プランジャーロッド２０４と解放可能に嵌合するように構成され得る、第２の支持壁１４４の、そうでなければ連続構造となる場所にある、スリット、薄い矩形の彫られた、薄い三角形の彫られた、または他の好適な空洞であり得る。ビームのうちの１つが下方向に溝１４８に延在し得るように、注射器２００プランジャーロッド２０４が４つの等間隔の支持ビームから形成される「Ｘ」形状の断面を有する実施形態では、溝１４８が適切であり得る。注射器２００プランジャーロッド２０４が「Ｘ」形状の断面を有さない実施形態では、図４に示されるものとは異なって成形される溝１４８がより適切であり得る。溝１４８の大きさおよび形状は、注射器２００プランジャーロッド２０４により変動し得る。
【００５３】
本発明の実施形態では、第１の支持壁１４２および第２の支持壁１４４の弓状の陥凹１４６および／または溝１４８は、第１の部材１０２が容器１０１内の空間を効果的に使用するように注射器２００バレル２０２および注射器２００プランジャーロッド２０４を保持することができるように、互いに整合され得る。
【００５４】
いくつかの実施形態では、第１の支持壁１４２および／または第２の支持壁１４４は、溝１４８に加えて、１つ以上の他の好適な空洞を含み得る。例えば、図１１は、４つの等間隔の支持ビームから形成される「Ｘ」形状の断面を有する注射器２００プランジャーロッド２０４が追加の空洞または溝を形成する第１の支持壁１４２および／または第２の支持壁１４４材内に設置することができる、および／またはそれによって保持されるように、追加の空洞または溝が第１の溝１４８に垂直に成形および配置された実施形態を示す。いくつかの実施形態では、第１の支持壁１４２および／または第２の支持壁１４４は、１つ以上のフック１５０など、容器１０１内に注射器２００プランジャーロッド２０４を解放可能に保持するように設計される構造上の特徴を含み得る。
【００５５】
他の実施形態では、第１の支持壁１４２および／または第２の支持壁１４４は、図１１に図示される弓状の陥凹１４６内に組み込まれ得る１つ以上のフック１５０など、容器１０１内に注射器２００バレル２０２を解放可能に保持するように設計される構造上の特徴を含み得る。
【００５６】
一実施形態では、図４に図示されるように、第１の部材１０２は、注射器２００を容器１０１内に解放可能に保持するように設計されるいくつかの追加の構造上の特徴を含み得る。例えば、第１の部材１０２は、容器１０１の内面１１２に１つ以上のフック１５０も含み得る。フック１５０は、球根状に湾曲されるか、またはさもなければ注射器２００もしくはその構成要素と解放可能に嵌合するように構成される第１の部材１０２の成形された伸長部またはその追加物であり得る。
【００５７】
一実施形態では、第１の部材１０２は、容器１０１の内面１１２に第１の支持壁１４２と、第２の支持壁１４４とを含み得る。第１の支持壁１４２は、注射器２００バレル２０２と嵌合するための１つのフック１５０と、注射器２００プランジャーロッド２０４と嵌合するための別のフック１５０とを有し得る。以下でさらに詳細に記載されるように、第１の支持壁１４２および第２の支持壁１４４は、注射器２００バレル２０２および注射器２００プランジャーロッド２０４が摩擦嵌合により容器１０１に解放可能に設置され、そこから取り外すことができるように、これらのフック１５０と連携して動作し得る。
【００５８】
他の実施形態では、フック１５０は、注射器２００を解放可能に保持するそれらの機能を補助することができるヒンジ、バネ、または他の構造上の特徴を含み得る。さらに他の実施形態では、ヒンジ、バネ、または他の構造上の特徴は、フック１５０がなく存在し得る。
【００５９】
いくつかの実施形態では、別個のフック１５０は、存在しなくてよい。代わりに、図１１に示されるように、第１の支持壁１４２および／または第２の支持壁１４４は、弓状の陥凹１４６内に直接組み込まれるが、別々のフック１５０ではない、容器１０１内に注射器２００バレル２０２および／またはプランジャーロッド２０４を解放可能に保持するように設計される、構造上の特徴を含み得る。
【００６０】
図４をさらに参照して、他の実施形態では、第２の部材１０４は、バイアル３００または他の入れ物を容器１０１内に解放可能に保持するように設計される構造上の特徴を含み得る。例えば、第２の部材１０４は、容器１０１の内面１１２に、バイアル３００もしくはその構成要素と解放可能に嵌合するためのスリーブ１５２または他の構造を含み得る。
【００６１】
様々な実施形態では、第２の部材１０４の内面１１２は、様々な異なる配向でバイアル３００を保持するように構成され得る。例えば、図４に図示されるように、第２の部材１０４は、略円筒形に成形されたバイアル３００を解放可能に保持するのに適し得る円筒形のスリーブ１５２を含み得る。円筒形状のスリーブ１５２は、これらの構造が円筒形状のスリーブ１５２内に嵌合により適合することができるため、そのキャップ３０２または基部３０４によってバイアルを解放可能に保持するのに最適であり得る。他の実施形態では、スリーブ１５２は、バイアル３００をその側面に保持するために、必要に応じて他の形状を取ることができる。
【００６２】
バイアル３００が円筒形ではない実施形態では、図４のスリーブ１５２とは異なって成形されるスリーブ１５２がより適切であり得る。スリーブ１５２の大きさおよび形状は、バイアル３００により変動し得る。加えて、他の実施形態において、スリーブ１５２以外の手段がバイアルを固定するために使用され得る。例えば、接着剤、面ファスナー（ｈｏｏｋ  ａｎｄ  ｌｏｏｋ  ｆａｓｔｅｎｅｒ）、スナップ式、スロット、または他の手段が使用され得る。
【００６３】
図４に示される実施形態では、スリーブ１５２は、等間隔であり、４つの等間隔の空洞を画定する４つの上方向に延在する壁を含む。スリーブ１５２は、略円筒形、略円錐台、または他の適切な形状を形成することができる。いくつかの実施形態では、スリーブ１５２は、３つより少ない、または多い上方向に延在する壁および空洞を含み得る。スリーブ１５２は、第２の部材１０４の内面１１２の中心にあるか、または中心からずれていてもよい。
【００６４】
図４をさらに参照して、他の実施形態では、第３の部材１０６は、バイアルアダプタ４００を容器１０１内に解放可能に保持するように設計される構造上の特徴を含み得る。いくつかの実施形態では、バイアルアダプタ４００は、その基部にスカート４０４を有し得る。したがって、第３の部材１０６は、容器１０１の内面１１２に、バイアルアダプタ４００スカート４０４と接触するための１つ以上のスロット１５４および／またはガイド１５６を含み得る。
【００６５】
図４に示されるように、スロット１５４は、第３の部材１０６の底部および／または側壁から延在する比較的短いレールまたはタブからなってよい。他の図を参照して以下でさらに詳細に説明されるように、バイアルアダプタ４００を容器１０１に解放可能に固定するために、１つ以上のスロット１５４下でバイアルアダプタ４００のスカート４０４、またはその一部分を摺動または屈曲させ、挿入することが可能であり得る。図４は、第３の部材１０６の左側１２６の側壁から延在する１つのスロット１５４、および第３の部材１０６の底部の右側から延在する１つのスロット１５４を示す。他の実施形態では、２つより少ない、または多いスロット１５４が採用されるか、またはスロットは完全に省くことができる。
【００６６】
図４にさらに示されるように、ガイド１５６は、第３の部材１０６の底面から上方向に延在する比較的小さい隆起からなってよい。他の図を参照して以下でさらに詳細に説明されるように、１つ以上のスロット１５４と組み合わせて、バイアルアダプタ４００を容器１０１に解放可能に固定するために、１つ以上のガイド１５６を超えて、またはそれにわたってバイアルアダプタ４００のスカート４０４、またはその一部分を摺動または屈曲させ、挿入することが可能であり得る。図４は、第３の部材１０６の底面から第３の部材１０６の左側１２６に向かって延在する１つのガイド１５６突起、および第３の部材１０６の底面から第３の部材１０６の右側１２８に向かって延在する別のガイド１５６突起を示す。他の実施形態では、２つより少ない、または多いガイド１５６が採用されるか、またはガイド１５６は完全に省くことができる。いくつかの実施形態では、ガイド１５６は、小さい突起以外の他の構成を取ることができる。
【００６７】
図４は、開放構成から閉鎖構成およびその逆も同様に、容器１０１を移行するのに役立ち得る容器１０１の例示的な構成要素も図示する。
【００６８】
一実施形態では、連続する２段縁１３８は、容器１０１の第１の部材１０２の側壁の上端にわたって広がる。図示される実施形態では、容器１０１がその閉鎖構成にあるときに第２の部材１０４を収容する必要があるため、側壁にも不連続部がある所に、この底部縁１３８に不連続部がある。
【００６９】
加えて、容器１０１の第３の部材１０６の側壁の上端にわたって広がる相補的な連続する２段縁１３６が存在し得る。図示される実施形態では、容器１０１がその閉鎖構成にあるときに第２の部材１０４を収容する必要があるため、側壁にも不連続部がある所に、この上部縁１３６に不連続部がある。
【００７０】
底部縁１３８および上部縁１３６は、容器１０１がその閉鎖構成に移行されるときに嵌合により連結し得る。この構成では、１つの縁の２段配列が他の縁の反対側の２段配列と一致し、閉鎖された密封を作り出す。
【００７１】
本発明のいくつかの実施形態では、この閉鎖された密封は、１つ以上の閉鎖要素１４０により、意図しない開口が起こらないように係止し得る。閉鎖要素１４０は、様々なレベルの複雑性の任意の好適な係止手段であり得る。一実施形態では、図４に図示されるように、閉鎖要素１４０は、スナップ嵌め要素からなってよい。スナップ嵌めは、部品間の取り付けが、接合される構成要素のうちの１つまたはもう一方と同種である係止特徴により達成され得る機械的接合システムである。接合は、嵌合部品と係合するために横に移動し、その後、構成要素を一緒に留めるために必要とされる干渉を達成するためにその元の位置に係止特徴を戻す可撓性の係止特徴を必要とする。
【００７２】
一実施形態では、スナップ嵌め閉鎖要素１４０は、第１の部材１０２の底部縁１３８上に１つ以上の係止突出部、および第３の部材１０６の上部縁１３６上に対応する嵌合係止凹部を含み得る。容器１０１がその開放構成からその閉鎖構成に操作されるとき、第３の部材１０６の上部縁１３６は、上部縁１３６の係止凹部が底部縁１３８の係止突出部にわたって摺動し、よって、第１の部材１０２に対して第３の部材１０６を定位置に係止するように、第１の部材１０２の底部縁１３８に移動され得る。
【００７３】
いくつかの実施形態では、容器１０１は、図２および図３Ａに示される解放要素１３０など、閉鎖構成から閉鎖構成に容器１０１を移行するのに役立ち得る解放要素１３０も含み得る。より具体的には、第１の部材１０２の左側１２６および右側１２８はそれぞれ、容器１０１の外面１１０の底部縁１３８上の係止突出部のちょうど下に位置する球状の窪みの形状で解放要素１３０を有し得る。例示的な解放要素１３０は、図４に見ることができる。係止機構を解放するために、使用者は、第１の部材１０２の側壁および底部縁１３８をわずかに内方向に屈曲させることができる１つ以上の解放要素１３０に圧力を適用してよい。この内方向の屈曲により、底部縁１３８上の係止突出部が上部縁１３６上の係止凹部を有する係止構成から引き出されてよい。したがって、第１の部材１０２および第３の部材１０６は相互に解放され、容器１０１は開放構成に操作され得る。
【００７４】
他の実施形態では、別の閉鎖要素１４０および解放要素１３０を採用する他の種類の係止機構が採用され得る。いくつかの実施形態では、２組より少ない、または多い閉鎖要素１４０および解放要素１３０が採用され、いくつかの実施形態では、閉鎖要素１４０および解放要素１３０は、全く使用されなくてよい。
【００７５】
図５〜７は、本発明の実施形態に従う容器の中に保管される様々な構成要素を含む開放構成にある治療キット容器の様々な図を図示する。
【００７６】
図５は、本発明の実施形態に従う様々な構成要素を含む開放構成にある治療キット容器の上からの正面斜視図である。図５は、注射器２００、バイアル３００、およびバイアルアダプタ４００が図５において容器の定位置にあることを除き、図４のものに類似する図を図示する。
【００７７】
特に図５および６に図示されるように、本発明の実施形態では、第１の部材１０２の第１の支持壁１４２および第２の支持壁１４４は、摩擦嵌合により注射器２００バレル２０２および注射器２００プランジャーロッド２０４を定位置に解放可能に保持するために、第１の部材１０２の２つのフック１５０と連携して動作し得る。
【００７８】
具体的には、注射器２００バレル２０２および注射器２００プランジャーロッド２０４は、バレル２０２およびプランジャーロッド２０４をほぼ定位置に置き、バレル２０２およびプランジャーロッド２０４が定位置に移動する間、フック１５０が一時的に曲がる、ずれる、またはさもなければ一時的に外れるように、それらに下方向の圧力を適用することにより容器１０１の第１の部材１０２内に設置され得る。最終的には、フック１５０は、バレル２０２およびプランジャーロッド２０４を定位置に解放可能に保持するために必要とされる干渉を達成するために、それらの元の位置に（またはそれ付近に）再整合する動作の自由を有する。
【００７９】
図５に図示されるように、いくつかの実施形態では、第１の部材１０２は、注射器２００のバレル２０２のバックストップ２０６（またはフィンガーフランジ）およびハブ２０８を収容するための開放空間、および注射器２００のプランジャーロッド２０４の頭部２１０を収容するための開放空間により構成され得る。他の実施形態では、第１の部材１０２は、注射器２００のバックストップ２０６、ハブ２０８、および／または頭部２１０に連結するための特定の構成要素により（例えば、追加の支持壁、フック、または他の構造上の要素により）特定的に構成され得る。
【００８０】
第１の部材１０２からバレル２０２およびプランジャーロッド１０４を取り外すことが望ましい場合、バレル２０２およびプランジャーロッド２０４が第１の部材１０２から引き出される間、フック１５０が一時的に曲がる、ずれる、またはさもなければ一時的に外れるように、上方向の圧力がバレル２０２およびプランジャーロッド１０４に適用され得る。最終的には、フック１５０は、それらの元の位置に（またはそれ付近に）再整合する動作の自由を有する。
【００８１】
図５〜７に図示されるように、本発明の実施形態では、第２の部材１０４のスリーブ１５２は、バイアル３００または他の入れ物を容器１０１内に解放可能に保持するように構成され得る。第２の部材１０４は、略円筒形に成形されたバイアル３００を解放可能に保持するのに適し得る円筒形または略円錐台に成形されたスリーブ１５２を含み得る。図６に示される実施形態では、スリーブ１５２は、等間隔であり、４つの等間隔の空洞を画定する４つの上方向に延在する壁を含む。いくつかの実施形態では、スリーブ１５２は、３つより少ない、または多い上方向に延在する壁および空洞を含み得る。スリーブ１５２は、第２の部材１０４の内面１１２の中心にあるか、または中心からずれていてもよい。
【００８２】
この例示的なスリーブ１５２の構成により、実施形態では、スリーブは、図７に最良に図示されるように、その基部３０４によってバイアル２００を解放可能に保持するように構成され得る。この様式では、バイアル３００は直立に保持され、その基部３０４はスリーブ１５２によって確実に把持され、そのキャップ３０２は、第２の部材１０４から離れて上方向に提示される。スリーブ１５２の４つの壁は、摩擦嵌合により、その基部３０４によってバイアル２００を保持するように連携して動作し得る。
【００８３】
具体的には、バイアル３００は、バイアル３００をほぼ定位置に置き、バイアル３００が定位置に移動する間、スリーブ１５２の４つの壁がわずかに外側に変形するように、それに下方向の圧力を適用することにより、容器１０１の第２の部材１０４内に設置され得る。いくつかの実施形態では、略円筒形状のスリーブ１５２は、バイアル３００の基部３０４の高さに沿って比較的等しく圧力を適用することができるが、上方向に先細りされる略円錐台に成形されたスリーブ１５２は、バイアル３００の基部３０４のより高い点にわずかに大きい圧力を提供することができる。
【００８４】
図５〜６に図示されるように、本発明の実施形態では、第３の部材１０６のスロット１５４およびガイド１５６は、バイアルアダプタ４００を容器１０１内に解放可能に保持するように構成され得る。図６に図示されるように、スロット１５４は、第３の部材１０６の底部および／または側壁から延在する比較的短いレールまたはタブからなってよい。図６に見られるように、バイアルアダプタ４００を容器１０１に解放可能に固定するために、１つ以上のスロット１５４下でバイアルアダプタ４００のスカート４０４、またはその一部分を摺動または屈曲させ、挿入することが可能であり得る。
【００８５】
図６にさらに示されるように、ガイド１５６は、第３の部材１０６の底面から上方向に延在する比較的小さい隆起からなってよい。実施形態では、１つ以上のスロット１５４と組み合わせて、摩擦嵌合によりバイアルアダプタ４００を容器１０１に解放可能に固定するために、１つ以上のガイド１５６を超えて、またはそれにわたってバイアルアダプタ４００のスカート４０４、またはその一部分を摺動または屈曲させ、挿入することが可能であり得る。
【００８６】
具体的には、バイアルアダプタ４００は、バイアルアダプタ４００をほぼ定位置に置き、バイアルアダプタ４００のスカートが屈折し、ガイド１５６突起を通過するように、それに摺動圧力を適用することにより、または可撓性のスカート４０４の端部が、スロット１５４の下に嵌まるまで、一時的に屈曲または折り畳まれるように、バイアルアダプタ４００の可撓性のスカート４０４に圧力を適用することにより、容器１０１の第３の部材１０６内に摺動または設置され得る。
【００８７】
本発明の実施形態に関して本明細書に記載されるものなど、容器１０１を含む治療キット１００は、治療薬を調製および投与する患者および介護者に、改善された人間工学、多用途性、耐久性、および／または使いやすさを提供する。いくつかの実施形態では、場合により、第１の部材１０２、第２の部材１０４、および第３の部材１０６を含む容器１０１は、それらの内容物を最適に隠し、使用者に提示するために、開放と閉鎖構成との間を様々な方法で操作することができる。
【００８８】
一実施形態では、容器１０１は、図２に図示されるように、閉鎖構成にあるとき、第１の部材１０２および第３の部材１０６の外面１１０が互いに略平行であり、かつ互いに反対側を向くが、図４に図示されるように、開放構成にあるとき、第１の部材１０２、第２の部材１０４、および第３の部材１０６の外面１１０は、互いに略平行であり、かつ同一方向を向くように構成される。
【００８９】
別の実施形態では、容器１０１は、閉鎖構成にあるとき、第３の部材１０６の天板および第１の部材１０２の底板が互いに略平行であり、第２の部材１０４の側板などの側板が天板および底板に略垂直であるように構成され得る。容器１０１は、閉鎖構成にあるとき、側板が、バイアル３００の長手方向軸（すなわち、そのキャップ３０２とその基部３０４との間のバイアル３００の中心を走る軸）が天板および底板に略平行になるようにバイアル３００を解放可能に保持するように構成されるようにさらに構成され得る。
【００９０】
また別の実施形態では、容器１０１は、閉鎖構成にあるとき、注射器２００バレル２０２の長手方向軸（すなわち、そのバックストップ２０６とそのハブ２０８との間の注射器２００バレル２０２の中心を走る軸）がバイアル３００の長手方向軸に略平行であり、開放構成にあるとき、注射器２００バレル２０２の長手方向軸がバイアル３００の長手方向軸に略垂直であるように構成され得る。
【００９１】
図７は、本発明の実施形態に従う解体された注射器２００、バイアル３００、およびバイアルアダプタ４００を含む開放構成にある治療キット容器１０１の右側面図である。逆に、図８は、本発明の実施形態に従う一体に組み立てられた注射器２００、バイアル３００、およびバイアルアダプタ４００を含む開放構成にある治療キット容器１０１の右側面図である。
【００９２】
前述のように、治療液剤の調製および個人への投与は、２つ以上の薬物または他の物質を混合して、治療液剤を形成し、その後、混合した治療液剤を個人に送達することを伴うことが多い。薬物または他の物質の混合は、液体形態の１つの薬物または他の物質をバイアル３００または他の入れ物から抽出し、この薬物または他の物質を、他の薬物または物質を保持する別個の入れ物、例えば、注射器２００に移すことを伴うことが多い。
【００９３】
したがって、図８を参照して、本発明の実施形態では、治療液剤を調製するために、注射器２００、バイアル３００、およびバイアルアダプタ４００を接続することが望ましい場合がある。一実施形態では、バイアルアダプタ４００のスカート４０４がバイアル３００キャップ３０２の外縁上に載っている間に、注射器２００プランジャーロッド２０４は注射器２００バレル２０２内に挿入され、係止され、注射器２００バレル２０２のハブ２０８はバイアルアダプタ４００のコネクタ４０２に取り付けられ、バイアルアダプタ４００の内針（図示せず）はバイアル３００のキャップ３０２を貫通し得る。
【００９４】
注射用の治療液剤を調製するための注射器２００、バイアル３００、およびバイアルアダプタ４００を連結するための例示的な方法が、ここで説明される。しかしながら、様々な他の方法およびステップの順序が、治療液剤の調製を達成するために代替えとして使用され得る。
【００９５】
最初に、使用者は、第２の部材１０４が調製面上に平らに置かれ、バイアル３００のキャップ３０２の上部が上向きに提示されるように、容器１０１を開ける。次に、使用者は、他の解放可能な保持機構のスロット１５４の外にバイアルアダプタ４００を摺動することにより、容器１０１の第３の部材１０６からバイアルアダプタ４００を取り外す。次いで、使用者は、バイアル３００のキャップ３０２の上部にバイアルアダプタ４００を設置し、バイアルアダプタ４００の内針（図示せず）がバイアル３００のキャップ３０２を貫通し得るように、バイアルアダプタ４００を下方向に押す。他の実施形態では、バイアルアダプタ４００およびバイアル３００は、バイアル３００のキャップ３０２を貫通するバイアルアダプタ４００の内針を有すること以外の機構によって接続することができる。例えば、バイアルアダプタ４００は、バイアル３００のキャップ３０２の適合する締結機構と嵌合することができる締結機構を含み得る。好適な締結機構は、例えば、プラスチックのルアーロック、または他の好適なネジ式、摩擦嵌合、もしくは他の締結手段を含み得る。
【００９６】
次に、使用者は、容器１０１の第１の部材１０２から注射器２００のバレル２０２およびプランジャーロッド２０４を、第１の支持壁１４２、第２の支持壁１４４、フック１５０、または他の解放可能な保持機構から解放することによって、取り外すことができる。使用者は、次いで、注射器２００のバレル２０２およびプランジャーロッド２０４を一体に組み立て、完全な注射器２００を形成することができる。この時点で、使用者は、注射器２００ハブ２０８をバイアルアダプタのコネクタ４０２に接続することにより、注射器２００をバイアルアダプタ４００に接続することができる。バイアルアダプタのコネクタ４０２および／または注射器のハブ２０８は、互いの適合する締結機構と嵌合することができる締結機構を含み得る。好適な締結機構は、例えば、プラスチックのルアーロック、ルアーコーン、ルアースリップ、または他の好適なネジ式、摩擦嵌合、もしくは他の締結手段を含み得る。
【００９７】
図８に図示され、上述されるように、注射器２００、バイアルアダプタ４００、およびバイアル３００を長い連続する構造に組み立てるのは、患者および介護者にとって難しい場合がある。一部の個人は、注射器２００プランジャーロッド２０４の頭部２１０が上を指す、バイアル３００の基部がテーブルの上面などの水平面にある直立様式で構造を組み立てる試みを好む。しかしながら、この配列は、非常に不安定であり、配列が積み重ねられているテーブルのわずかな振動または移動など、ほんの少しの環境の支障により倒れ安い可能性がある。バイアルアダプタ４００の内針がバイアル３００のキャップ３０２を貫通するように使用者がバイアルアダプタ４００を下に押す点は、装置が安定していない場合に装置全体が倒れる可能性がある、特に不安定なときである。同様の潜在的な不安定さは、使用者が注射器２００ハブ２０８をバイアルアダプタのコネクタ４０２に接続することによって注射器２００をバイアルアダプタ４００に接続するときにも生じ得る。加えて、物質がバイアル３００から注射器２００に引き込まれるとき、配列は、上が重くなり、よって、さらに不安定になる。
【００９８】
本発明の実施形態に従って、これらの問題は、患者または介護者が注射器２００、バイアルアダプタ４００、およびバイアル３００を一体に組み立てることができ、同時に、これらの要素が容器１０１自体によって支持されるように、容器１０１を構成することによって解決することができる。これは、容器１０１によって着脱可能に固定され得るバイアル３００から開始する要素の連続構成を構築することによって達成することができる。
【００９９】
さらに、本発明の実施形態に従って、容器１０１は、バイアル３００の基部３０４が容器１０１に着脱可能に固定され得、同時に、バイアルのキャップ３０２が上方向に示され、バイアルアダプタ４００により自由に係合されるが、バイアル３００の基部３０４が依然として定位置に保持されるように構成され得る。
【０１００】
加えて、本発明の実施形態に従って、容器１０１は、容器１０１がその閉鎖構成からその開放構成に操作されるとき、バイアル３００を移動またはさもなければ再配向する必要がないが、バイアルアダプタ４００によって係合されるように自動的に適切な位置にあるように、バイアル３００を固定することができる。この方法により、バイアル３００が保管中に配向される方法に関わらず、バイアル３００のキャップ３０２は、開放構成にあるとき、上方向に示され得る。
【０１０１】
上述のように、第１の部材１０２、第２の部材１０４、および第３の部材１０６を採用する実施形態では、容器１０１の配列は、バイアル３００の基部として機能する、スリーブ１５２を含む中央の第２の部材１０２を基盤とし、支持する拳部材１０２および第３の部材１０６が幅広い安定した基部を提供することができるという点で、さらに利点を提供することができる。図８に図示されるように、この構成では、注射器２００、バイアルアダプタ４００、バイアル３００配列に作用する力は、それを不安定にさせる可能性があるが（湾曲した矢印によって図示される）、相互接続された第１の部材１０２、第２の部材１０４、および第３の部材１０６によって提供される安定した基部は、そのような力に耐えることができる。
【０１０２】
本発明のいくつかの実施形態では、組み立て中に作業表面（テーブルなど）と接触し得る第１の部材１０２、第２の部材１０４、および／または第３の部材１０６の部分は、配列をさらに安定させるために、容器１０１と作業表面との間の摩擦を増加するように特別に適合され得る。例えば、いくつかの実施形態では、質感の増加は、ゴムなどの材料を使用することにより、あるいは刻みを付ける、たたき塗りする、または窪み、隆起、もしくは他の質感表面要素を追加することにより提供され得る。
【０１０３】
したがって、そのような容器１０１構成は、改善された人間工学、多用途性、耐久性、および／または使いやすさを提供できる場合がある。
【０１０４】
加えて、おそらく図４に最良に図示されるように、いくつかの実施形態では、バイアルのキャップ３０２に設置するためにバイアルアダプタ４００が第３の部材１０６から取り外される場合、第３の部材１０６の内面１１２は、本質的に、開放された減菌作業領域となる。この開放空間は、注射を調製する間、注射器２００、格納したバイアルアダプタ４００、または他の付属要素（例えば、説明書、注入針セット、アルコールスワブ、ガーゼパッド、またはバンドエイド）を一時的に設定または保管するための作業または中継領域として有利に使用することができる。
【０１０５】
本発明のいくつかの実施形態では、使用者が彼らの意図する目的（例えば注射の投与）の治療キット１００容器１０１の要素の使用を完了した場合、その要素は、廃棄のために容器１０１に戻されてよい。容器１０１が耐久性のあるポリプロピレンなどの耐久性のある材料から作製され、閉鎖要素１４０などの好適な閉鎖機構を有する実施形態では、容器１０１は、注射器２００の針などの危険および／または有害な可能性のある品目を配置するための耐久性のある確実な手段として機能し得る。
【０１０６】
図９Ａおよび９Ｂを参照して、それらの閉鎖構成にあるとき、本発明の実施形態に従う容器１０１を、それらの人間工学的特徴およびコンパクトな大きさのため、大量に積み重ねて保管することができ得る。
【０１０７】
図９Ａでは、第１の容器１０１は、第２の容器１０１の上に積み重ねられる。上に説明されるように、上の容器１０１は、その第１の部材１０２の外面１１０上に複数の底部嵌合要素１３４を含むことができ、同時に、下の容器１０１は、その第３の部材１０６の外面１１０上に複数の上部嵌合要素１３２を含むことができる。１つの容器１０１の底部嵌合要素１３４は、複数の容器１０１が保管または移動のために便宜的かつ確実に積み重ねることができるように、他の容器１０１の相補的な上部嵌合要素１３２と嵌合することができる。
【０１０８】
図９Ｂは、互いに積み重ねられた４８個の個々の容器１０１を図示する。ある特定の疾患または医療状態は、冷却している間のみ有意な時間期間安定している薬物の投与を必要とする場合がある。これらの同じ疾患または医学的状態が頻繁な（例えば毎日）投与量を必要とし得る範囲内において、複数の薬物販売者への外出が必要ではないように冷却下で大量の薬物を保管することができることは、患者および介護者にとって重要であり得る。一般的な制限された冷却環境は、例えば、家庭用冷蔵庫、寮用冷蔵庫、または病院用冷蔵庫を含み得る。
【０１０９】
そのような薬物が治療キット１００の一部として最も便宜的に流通し、使用される範囲内で、そのようなキット１００の容器１０１は、できる限り小さくかつ容易に積み重ねが可能であるべきである。したがって、便利な人間工学の積み重ね特徴に加えて比較的コンパクトな寸法を有する上述の本発明の実施形態に従う容器１００は、バルク保管の必要性を有する利点を患者または介護者に提供することができる。
【０１１０】
例えば、安定を維持するために冷却を必要とする薬物などの薬物と使用するためのいくつかの実施形態では、容器１０１の断熱レベルを増加することが望ましい場合がある。この方法では、容器（およびその中に保有される薬物）は、暖かい環境において、バックパック、財布、おむつ袋、または手荷物などの冷却されない旅行鞄で旅行するときに使用者が容器１０１を持ち運ぶ場合でも、より長く冷たいままである。一実施形態では、容器１０１は、第１の部材１０２、第２の部材１０４、および第３の部材１０６を構成する容器１０１の壁を厚くすることにより断熱される。別の実施形態では、容器１０１は、例えば、鉱滓綿、ガラス綿、可撓性の弾性発泡体、剛性発泡体、ポリエチレン、シリカエアロゲル断熱材、または空気もしくは水などのガスまたは液体で充填された空気袋から作製された層など、追加の断熱層を容器１０１に適用することにより断熱される。
【０１１１】
図１０は、本発明の代替えの実施形態に従う様々な構成要素を含む開放構成にある治療キット１００容器１０１の上からの正面斜視図である。
【０１１２】
図１および４〜６に図示される治療キット１００容器１０１の内面１１２とは対照的に、この代替え容器１０１は、上に前述された注射器２００、バイアル３００、およびバイアルアダプタ４００のうちのいくつかを異なる位置に保管するように構成されることに留意されたい。具体的には、図１０の実施形態では、バイアル３００に加えて、注射器２００バレル２０２および注射器プランジャーロッド２０４は両方とも、容器１０１の中央の第２の部材１０４に解放可能に固定される。したがって、第１の部材１０２および第３の部材１０６のうちの１つは、バイアルアダプタ４００を収容するように残されるが、これらの部材のうちのもう一方は、開放された減菌作業領域として残される。この作業領域は、注射を調製する間、注射器２００、格納したバイアルアダプタ４００、または他の付属要素（例えば、説明書、注入針セット、アルコールスワブ、ガーゼパッド、またはバンドエイド）を一時的に設定または保管するために有利に使用することができる。
【０１１３】
本明細書に詳解される本発明の実施形態に従う容器１０１により潜在的に収容された医療構成要素は、主に、注射器２００、バイアル３００、およびバイアルアダプタであったが、他の実施形態では、容器１０１は、製品の説明書、注入針セット、アルコールスワブ、ガーゼパッド、またはバンドエイドを保管および／または解放可能に保持するように構成され得る。いくつかの実施形態では、これらの付属要素は、代替えとして、製造、流通、販売、および／または使用中の様々な時点で容器１０１を保管し、保護するために使用され得る大きな外装容器に保管および／または保持され得る。
【０１１４】
他の実施形態では、単一の容器１０１は、複数の注射器２００、複数のバイアル３００、および／または複数のバイアルアダプタを保持するように構成され得る。様々な実施形態では、第２の部材１０４は、１つ、２つ、３つ、４つ、５つ以上のバイアル３００を保持するように構成され得る。
【０１１５】
加えて、本発明の例示的な実施形態は、容器の第１の部材１０２、第２の部材１０４、または第３の部材１０６のいずれかに特定の構成要素を解放可能に保持するように記載されてきたが、本発明はそのように限定される必要はない。いくつかの実施形態では、注射器２００は、第１の部材１０２、第２の部材１０４、または第３の部材１０６のいずれかによって解放可能に保持され、バイアル３００は、第１の部材１０２、第２の部材１０４、または第３の部材１０６のいずれかによって保持され、バイアルアダプタ４００は、第１の部材１０２、第２の部材１０４、または第３の部材１０６のいずれかによって保持され得る。実施形態では、注射器２００、バイアル３００、およびバイアルアダプタ４００のそれぞれは、第１の部材１０２、第２の部材１０４、または第３の部材１０６のうちの１つによってのみ解放可能に保持され得る。
【０１１６】
さらに、本発明の例示的な実施形態の多くは、第１の部材１０２、第２の部材１０４、または第３の部材１０６を有する容器１０１の文脈において記載されるが、本発明の他の実施形態に従う容器１０１は、３つより少ない、または多い部材を有してよい。
【０１１７】
本発明のいくつかの実施形態では、異なるキット１００および／または容器１０１が異なる治療薬またはその用量のために設計され得る。例えば、ある特定の容器１０１は、異なる濃度、容量、および／または強度を有する治療薬を保持することができる。実施形態では、各容器１０１の一部分は、特定の色で色を付けることができ、容器１０１は、それが収容する治療薬の種類および／または治療薬の用量を示すために色分けされる。
【０１１８】
本発明の別の実施形態では、キット１００および／または容器１０１の一部は、製品のラベル表示を有する部分を含み得る。標示付けは、ラベルステッカーを追加することにより、またはラベル表示をキット１００および／もしくは容器１０１の一部に印刷するか、彫刻するか、成形するか、またはさもなければ形成することにより含まれ得る。いくつかの実施形態では、キット１００および／または容器１０１は、それらが収容する治療薬の種類および／または用量を示すためにラベル表示される。いくつかの実施形態では、ラベル表示は、容器１０１、容器１０１を包囲するスリーブ、または他の好適な手段を収容するための大きい外装容器の一部であり得る。
【０１１９】
前述のように、治療キット１００は、多種多様の薬物用に販売され得る。本発明の一実施形態では、治療キット１００容器１０１は、血友病処置キットに使用するために構成される。
【０１２０】
血友病は、世界において最も一般的な遺伝性血液凝固障害の１つである。インビボおよびインビトロ血液凝固活性の減少をもたらし、罹患した個人の一生を通じて広範な医療監視を必要とする。介入の不在において、罹患した個人は、深刻な医療合併症をもたらすことが多い自然出血を患う。血友病において、凝固は、ある特定の血漿凝固因子の欠如により妨害される。例えば、血友病Ａは、第ＶＩＩＩ因子（ＦＶＩＩＩ）の欠乏により生じるが、血友病Ｂは、第ＩＸ因子（ＦＩＸ）の欠乏により生じる。血友病のこれらの形態のそれぞれは、関連する血液凝固因子タンパク質（例えば、ＦＶＩＩＩまたはＦＩＸ）の合成の減少、または活性の減少を伴う欠損した血液凝固因子タンパク質のいずれかに起因し得る。
【０１２１】
血友病の処置は、欠落した血液凝固因子タンパク質を、欠落した凝固因子において高度に濃縮された外因性因子濃縮物で置き換えることにより生じる。必要な血液凝固因子タンパク質は、典型的には、注射器２００を使用して、血友病に罹患した個人に静脈注射を介して週に少なくとも数回投与される。一部の罹患した個人は、介護者から注射を受けることができるが、多くの個人は、多くの場合、費用および便宜上の理由のため、注射を自己投与することを選択する。
【０１２２】
血友病に罹患した個人は、日常の状況において、予想外の出血を高度に受けやすいため、道具（例えば、容器１０１）の応力点、環境表面（例えば、テーブルの表面または端部）により発生する応力点、および身体の不自然な動作に起因する応力は、個人が彼らの環境において道具と接触するとき、微小出血を生じる可能性を有する。日常的な注射の場合において、治療キット１００は、特に処置を自己投与する罹患した個人に関して、容器１０１構成および容器１０１を操作し、その内容物を組み立てるのに必要な動作における小さな好ましい変化でさえ、微小出血または個人に対する他の損傷を最小にする可能性を有する。
【０１２３】
したがって、本発明の実施形態に従う改善された人間工学、多用途性、耐久性、および／または使いやすさを提供する治療キット１００容器１０１は、血友病処置を投与する患者または介護者に利点を提供することができる。
【０１２４】
本発明の実施形態に従う治療キット１００容器１０１の利点のため、これらの容器は、例えば、関節炎患者など、同様の必要条件（すなわち、人間工学、多用途性、耐久性、および／または使いやすさ）の患者または介護者のための他の薬物の投与に等しく適し得る。
【０１２５】
本考察は、主に治療キット１００容器１０１に焦点を当てているが、本明細書に記載されるデバイス容器のいくつかの実施形態は、治療キットとの使用に限定される必要はなく、様々な非治療および非医療目的で品目を保管するのに好適であり得ることに留意されたい。
【０１２６】
本発明は、例示的な実施形態として上述された。したがって、本発明は、上述の例示的な実施形態のいずれによっても限定されるべきではないが、以下の特許請求の範囲およびそれらの等価物によってのみ定義されるべきである。
【図１】
2020193042.tif 000003
【図２】
2020193042.tif 000004
【図３Ａ】
2020193042.tif 000005
【図３Ｂ】
2020193042.tif 000006
【図４】
2020193042.tif 000007
【図５】
2020193042.tif 000008
【図６】
2020193042.tif 000009
【図７】
2020193042.tif 000010
【図８】
2020193042.tif 000011
【図９Ａ】
2020193042.tif 000012
【図９Ｂ】
2020193042.tif 000013
【図１０】
2020193042.tif 000014
【図１１】
2020193042.tif 000015
【外国語明細書】
2020193042000001.pdf